【手続補正書】
【提出日】平成30年9月12日(2018.9.12)
【手続補正１】
【補正対象書類名】特許請求の範囲
【補正対象項目名】全文
【補正方法】変更
【補正の内容】
【特許請求の範囲】
【請求項１】
通信のための装置であって、前記装置は、
メモリデバイスと、
前記メモリデバイスに結合され、
複数の他のワイヤレス通信装置の各々に関して、レイテンシ、オーバーヘッド、帯域幅、低レイテンシトラフィックと公称トラフィックの多重化、またはデータレートの1つまたは複数を含む性能要件を特定し、
前記複数の他のワイヤレス通信装置の各々に関する前記性能要件に基づいて、前記他のワイヤレス通信装置との通信のための統合フレーム構造内の異なる構造を決定し、前記異なる構造が、時分割多重制御チャネル構造と周波数分割多重制御チャネル構造とを含む異なる制御構造を含み、
通信インターフェースを介して前記異なる構造を特定する前記統合フレーム構造の表示を、前記複数の他のワイヤレス通信装置に対して通信する
ように構成された処理回路と
を含む、装置。
【請求項２】
前記異なる構造が、異なる送信時間間隔(TTI)または異なる周波数帯域のうちの少なくとも1つをさらに含む、請求項1に記載の装置。
【請求項３】
前記時分割多重制御チャネル構造が、低電力アクセスまたは動的帯域幅切替えのうちの少なくとも1つのためである、請求項1に記載の装置。
【請求項４】
前記周波数分割多重制御チャネル構造が、狭帯域アクセスまたは低レイテンシアクセスのうちの少なくとも1つのためである、請求項1に記載の装置。
【請求項５】
前記処理回路が、
前記通信インターフェースを介して、前記複数の他のワイヤレス通信装置の特定の装置との通信を開始し、
前記特定の装置に関する前記性能要件に基づいて、前記特定の装置との前記通信のための前記統合フレーム構造内の特定の構造を特定し、
前記通信インターフェースを介して、前記統合フレーム構造内の前記特定された構造に従って、前記特定の装置と通信する
ようにさらに構成される、請求項1に記載の装置。
【請求項６】
前記特定の装置に関する前記性能要件がミッションクリティカルなアクセスを含み、
前記処理回路が、前記通信インターフェースを介して、前記特定の装置と共存している公称アクセス端末のコードブロックレベル肯定応答を通信するようにさらに構成される
請求項5に記載の装置。
【請求項７】
前記特定の装置に関する前記性能要件が低オーバーヘッドアクセスを含み、
前記処理回路が、前記通信インターフェースを介して、前記特定の装置との前記通信のためのチャネル推定のために異なる送信時間間隔(TTI)からのパイロットが使用されるという表示を通信するようにさらに構成される
請求項5に記載の装置。
【請求項８】
前記特定の装置に関する前記性能要件が低オーバーヘッドアクセスを含み、
前記特定された構造が、延長送信時間間隔(TTI)を含む
請求項5に記載の装置。
【請求項９】
前記特定の装置に関する前記性能要件が低電力アクセスを含み、
前記特定された構造が、時分割多重化(TDM)制御チャネルまたは狭帯域制御チャネルのうちの少なくとも1つを含む
請求項5に記載の装置。
【請求項１０】
前記特定の装置に関する前記性能要件が低レイテンシアクセスを含み、
前記特定された構造が、短縮送信時間間隔(TTI)またはTTIにわたって拡散された制御チャネルのうちの少なくとも1つを含む
請求項5に記載の装置。
【請求項１１】
前記特定の装置に関する前記性能要件が動的帯域幅切替えを含み、
前記特定された構造が狭帯域制御チャネルを含む
請求項5に記載の装置。
【請求項１２】
前記処理回路が、前記他のワイヤレス通信装置に関連する異なるアプリケーション、前記他のワイヤレス通信装置に関連する異なる帯域幅モード、前記他のワイヤレス通信装置に関連する広帯域環境における狭帯域能力、前記他のワイヤレス通信装置に関連するマイクロスリープモード、または前記他のワイヤレス通信装置に関連する動的帯域幅切替えのうちの少なくとも1つに基づいて、前記統合フレーム構造内の前記異なる構造を決定するようにさらに構成される、請求項1に記載の装置。
【請求項１３】
通信の方法であって、前記方法は、
複数のワイヤレス通信装置の各々に関して、レイテンシ、オーバーヘッド、帯域幅、低レイテンシトラフィックと公称トラフィックの多重化、またはデータレートの1つまたは複数を含む性能要件を特定するステップと、
前記複数のワイヤレス通信装置の各々に関する前記性能要件に基づいて、前記ワイヤレス通信装置との通信のための統合フレーム構造内の、時分割多重制御チャネル構造と周波数分割多重制御チャネル構造とを含む異なる制御構造を含む異なる構造を決定するステップと、
前記異なる構造を特定する前記統合フレーム構造の表示を、前記複数のワイヤレス通信装置に対して通信するステップと
を含む、方法。
【請求項１４】
前記複数のワイヤレス通信装置の特定の装置との通信を開始するステップと、
前記特定の装置に関する前記性能要件に基づいて、前記特定の装置との前記通信のための前記統合フレーム構造内の特定の構造を特定するステップと、
前記統合フレーム構造内の前記特定された構造に従って、前記特定の装置と通信するステップと
さらに含む、請求項13に記載の方法。
【請求項１５】
前記異なる構造が、異なる送信時間間隔(TTI)または異なる周波数帯域のうちの少なくとも1つをさらに含む、請求項13に記載の方法。
【請求項１６】
前記時分割多重制御チャネル構造が、低電力アクセスまたは動的帯域幅切替えのうちの少なくとも1つのためである、請求項13に記載の方法。
【請求項１７】
前記周波数分割多重制御チャネル構造が、狭帯域アクセスまたは低レイテンシアクセスのうちの少なくとも1つのためである、請求項13に記載の方法。
【請求項１８】
前記性能要件がミッションクリティカルなアクセスを含む場合、ミッションクリティカルなアクセス端末と共存している公称アクセス端末のコードブロックレベル肯定応答を通信するステップ
をさらに含む、請求項13に記載の方法。
【請求項１９】
前記性能要件が低オーバーヘッドアクセスを含む場合、前記複数のワイヤレス通信装置のうちの少なくとも1つとの通信のためのチャネル推定のために異なる送信時間間隔(TTI)からのパイロットが使用されることになるという表示を通信するステップ
をさらに含む、請求項13に記載の方法。
【請求項２０】
前記特定の装置に関する前記性能要件が低オーバーヘッドアクセスを含む場合、前記複数のワイヤレス通信装置の特定の装置に関して決定される構造が延長送信時間間隔(TTI)を含む
請求項13に記載の方法。
【請求項２１】
前記複数のワイヤレス通信装置の特定の装置に関する前記性能要件が低電力アクセスを含む場合、前記特定の装置に関して決定される前記構造が、時分割多重化(TDM)制御チャネルまたは狭帯域制御チャネルのうちの少なくとも1つを含む、請求項13に記載の方法。
【請求項２２】
前記複数のワイヤレス通信装置の特定の装置に関する前記性能要件が低レイテンシアクセスを含む場合、前記特定の装置に関して決定される前記構造が、短縮送信時間間隔(TTI)またはTTIにわたって拡散された制御チャネルのうちの少なくとも1つを含む、請求項13に記載の方法。
【請求項２３】
前記特定の装置に関する前記性能要件が動的帯域幅切替えを含む場合、前記複数のワイヤレス通信装置の特定の装置に関して決定される前記構造が、狭帯域制御チャネルを含む、請求項13に記載の方法。
【請求項２４】
コンピュータ実行可能コードを記憶している非一時的コンピュータ可読媒体であって、前記コンピュータ実行可能コードは、
複数のワイヤレス通信装置の各々に関して、レイテンシ、オーバーヘッド、帯域幅、低レイテンシトラフィックと公称トラフィックの多重化、またはデータレートの1つまたは複数を含む性能要件を特定し、
前記複数のワイヤレス通信装置の各々に関する前記性能要件に基づいて、前記ワイヤレス通信装置と通信するための統合フレーム構造内の異なる構造を決定し、前記異なる構造が、時分割多重制御チャネル構造と周波数分割多重制御チャネル構造とを含む異なる制御構造を含み、
前記異なる構造を特定する前記統合フレーム構造の表示を、前記複数のワイヤレス通信装置に対して通信する
ように構成された、非一時的コンピュータ可読媒体。
【請求項２５】
前記コンピュータ実行可能コードは、
前記複数のワイヤレス通信装置の特定の装置との通信を開始し、
前記特定の装置に関する前記性能要件に基づいて、前記特定の装置との前記通信のための前記統合フレーム構造内の特定の構造を特定し、
前記統合フレーム構造内の前記特定された構造に従って、前記特定の装置と通信する
ようにさらに構成された、請求項24に記載の非一時的コンピュータ可読媒体。
【請求項２６】
通信のための装置であって、前記装置は、
メモリデバイスと、
前記メモリデバイスに結合され、
前記装置において、異なるアクセス要件に関する異なる構造を特定する統合フレーム構造の表示をアクセスポイントから受信することであって、前記異なる構造が、前記統合フレーム構造内で多重化され、前記異なる構造が、時分割多重制御チャネル構造と周波数分割多重制御チャネル構造とを含む異なる制御構造を含む、受信することと、
前記統合フレーム構造内の前記異なる構造の中の特定の構造を特定することであって、前記特定が、前記装置に関する性能要件に基づき、前記性能要件は、レイテンシ、オーバーヘッド、帯域幅、低レイテンシトラフィックと公称トラフィックの多重化、またはデータレートの1つまたは複数を含む、特定することと、
前記統合フレーム構造内の前記特定された構造に従って、通信インターフェースを介して前記アクセスポイントと通信することと
を行うように構成された処理回路と
を含む、装置。
【請求項２７】
前記異なる構造が、異なる送信時間間隔(TTI)または異なる周波数帯域のうちの少なくとも1つをさらに含む、請求項26に記載の装置。
【請求項２８】
前記時分割多重制御チャネル構造が、低電力アクセスまたは動的帯域幅切替えのうちの少なくとも1つのためである、請求項26に記載の装置。
【請求項２９】
前記周波数分割多重制御チャネル構造が、狭帯域アクセスまたは低レイテンシアクセスのうちの少なくとも1つのためである、請求項26に記載の装置。
【請求項３０】
前記処理回路が、
前記性能要件が低オーバーヘッドアクセスを含む場合、前記通信のためのチャネル推定のために異なる送信時間間隔(TTI)からのパイロットを使用する
ようにさらに構成される、請求項26に記載の装置。
【請求項３１】
前記性能要件が低オーバーヘッドアクセスを含む場合、前記特定された構造が、延長送信時間間隔(TTI)を含む
請求項26に記載の装置。
【請求項３２】
前記性能要件が低電力アクセスを含む場合、
前記特定された構造が、時分割多重化(TDM)制御チャネルまたは狭帯域制御チャネルのうちの少なくとも1つを含む
請求項26に記載の装置。
【請求項３３】
前記性能要件が低レイテンシアクセスを含む場合、
前記特定された構造が、短縮送信時間間隔(TTI)または送信時間間隔(TTI)にわたって拡散された制御チャネルのうちの少なくとも1つを含む
請求項26に記載の装置。
【請求項３４】
前記性能要件が動的帯域幅切替えを含む場合、前記特定された構造が狭帯域制御チャネルを含む
請求項26に記載の装置。
【請求項３５】
ワイヤレス通信装置のための通信の方法であって、
異なるアクセス要件に関する、時分割多重制御チャネル構造と周波数分割多重制御チャネル構造とを含む異なる制御構造を含む異なる構造を特定する統合フレーム構造の表示を受信するステップであって、前記異なる構造が、前記統合フレーム構造内で多重化される、受信するステップと、
前記統合フレーム構造内の前記異なる構造の中の特定の構造を特定するステップであって、前記特定が、前記ワイヤレス通信装置に関する性能要件に基づき、前記性能要件は、レイテンシ、オーバーヘッド、帯域幅、低レイテンシトラフィックと公称トラフィックの多重化、またはデータレートの1つまたは複数を含む、特定するステップと、
前記統合フレーム構造内の前記特定された構造に従って、通信するステップと
を含む、方法。
【請求項３６】
前記異なる構造が、異なる送信時間間隔(TTI)または異なる周波数帯域のうちの少なくとも1つをさらに含む、請求項35に記載の方法。
【請求項３７】
前記時分割多重制御チャネル構造が、低電力アクセスまたは動的帯域幅切替えのうちの少なくとも1つのためである、請求項35に記載の方法。
【請求項３８】
前記周波数分割多重制御チャネル構造が、狭帯域アクセスまたは低レイテンシアクセスのうちの少なくとも1つのためである、請求項35に記載の方法。
【請求項３９】
前記性能要件が低オーバーヘッドアクセスを含む場合、前記通信のためのチャネル推定のために異なる送信時間間隔(TTI)からのパイロットを使用するステップ
をさらに含む、請求項35に記載の方法。
【請求項４０】
前記性能要件が低オーバーヘッドアクセスを含む場合、前記特定された構造が、延長送信時間間隔(TTI)を含む
請求項35に記載の方法。
【請求項４１】
前記性能要件が低電力アクセスを含む場合、前記特定された構造が、時分割多重化(TDM)制御チャネルまたは狭帯域制御チャネルのうちの少なくとも1つを含む
請求項35に記載の方法。
【請求項４２】
前記性能要件が低レイテンシアクセスを含む場合、前記特定された構造が、短縮送信時間間隔(TTI)またはTTIにわたって拡散された制御チャネルを含む
請求項35に記載の方法。
【請求項４３】
前記性能要件が動的帯域幅切替えを含む場合、前記特定された構造が狭帯域制御チャネルを含む
請求項35に記載の方法。
【請求項４４】
ワイヤレス通信装置のためのコンピュータ実行可能コードを記憶している、非一時的コンピュータ可読記憶媒体であって、前記コンピュータ実行可能コードは、
異なるアクセス要件に関する異なる構造を特定する統合フレーム構造の表示を受信することであって、前記異なる構造が、前記統合フレーム構造内で多重化され、前記異なる構造が、時分割多重制御チャネル構造と周波数分割多重制御チャネル構造とを含む異なる制御構造を含む、受信することと、
前記統合フレーム構造内の前記異なる構造の中の特定の構造を特定することであって、前記特定が、前記ワイヤレス通信装置に関する性能要件に基づき、前記性能要件は、レイテンシ、オーバーヘッド、帯域幅、低レイテンシトラフィックと公称トラフィックの多重化、またはデータレートの1つまたは複数を含む、特定することと、
前記統合フレーム構造内の前記特定された構造に従って、通信することと
を行うように構成された、非一時的コンピュータ可読記憶媒体。